(57)【要約】【課題】遠心振り子式ダンパ装置１０の各振り子質量体２１をフランジ部材１１に支持するローラピン３０、及び、フランジ部材１１において該ローラピン３０が挿通されるガイド孔１１ｂの内周面に潤滑油を効率良く供給できるようにする。【解決手段】遠心振り子式ダンパ装置１０が、少なくとも１つのアダプタ２３（２２）とフランジ部材１１との間に、フランジ部材１１における全ガイド孔１１ｂにそれぞれ対応して設けられた複数の潤滑油案内路６１（６２）を備え、各潤滑油案内路６１（６２）が、フランジ部材１１の内周面におけるガイド孔１１ｂに対してフランジ部材１１の径方向内側の部分に設けられた流入部６１ａ（６２ａ）からガイド孔１１ｂに向かって延びて、フランジ部材１１の内周面にフランジ部材１１の径方向内側から供給された潤滑油を、流入部６１ａ（６２ａ）からガイド孔１１ｂに向けて案内するように構成されている。【選択図】図９
2019035476.tif 000002
【特許請求の範囲】
【請求項１】
中心軸回りに回転可能な環状のフランジ部材と、該フランジ部材に、該フランジ部材の周方向に揺動自在にそれぞれ支持されかつ該周方向に並ぶように配設された複数の振り子質量体とを備えた遠心振り子式ダンパ装置であって、
上記フランジ部材には、上記各振り子質量体毎に、２つのガイド孔が、該フランジ部材の中心軸方向に貫通しかつ上記周方向に延びるように形成され、
上記各振り子質量体は、上記フランジ部材の上記２つのガイド孔にそれぞれ挿通された２つのローラピンを介して、該フランジ部材に対して該フランジ部材の周方向に揺動自在に支持されており、
上記フランジ部材の中心軸方向両側の面のうち少なくとも一方の面に設けられたアダプタと、
少なくとも１つの上記アダプタと上記フランジ部材との間に、該フランジ部材における全ガイド孔にそれぞれ対応して設けられた複数の潤滑油案内路とを更に備え、
上記各潤滑油案内路は、上記フランジ部材の内周面における上記ガイド孔に対して上記フランジ部材の径方向内側の部分に設けられた流入部から該ガイド孔に向かって延びて、上記フランジ部材の内周面に該フランジ部材の径方向内側から供給された潤滑油を、上記流入部から該ガイド孔に向けて案内するように構成されていることを特徴とする遠心振り子式ダンパ装置。
【請求項２】
請求項１記載の遠心振り子式ダンパ装置において、
２つの上記アダプタが、上記フランジ部材の中心軸方向両側の面にそれぞれ設けられ、
上記２つのアダプタは、上記フランジ部材の内周面よりも該フランジ部材の径方向内側に突出して、該突出部分が、該フランジ部材の内周面と共に、該フランジ部材の内周面に供給された上記潤滑油を捕捉する断面凹状のオイル溝を画定することを特徴とする遠心振り子式ダンパ装置。
【請求項３】
請求項１又は２記載の遠心振り子式ダンパ装置において、
上記各潤滑油案内路は、上記フランジ部材の径方向外側にいくほど該潤滑油案内路の幅が小さくなるように設けられていることを特徴とする遠心振り子式ダンパ装置。
【発明の詳細な説明】
【技術分野】
【０００１】
本発明は、遠心振り子式ダンパ装置に関する技術分野に属する。
【背景技術】
【０００２】
従来より、中心軸回りに回転可能なフランジ部材と、該フランジ部材に、該フランジ部材の周方向に揺動自在にそれぞれ支持されかつ該周方向に並ぶように配設された複数の振り子質量体とを備えた遠心振り子式ダンパ装置が知られている（例えば、特許文献１参照）。
【０００３】
特許文献１では、各振り子質量体は、フランジ部材（支持部材）に、該フランジ部材の中心軸方向に貫通しかつ上記周方向に延びるように形成された２つのガイド孔（ガイド開口部）にそれぞれ挿通された２つのローラピン（ガイドローラ）を介して、該フランジ部材に対して該フランジ部材の周方向に揺動自在に支持されている。
【０００４】
また、特許文献２では、遠心振り子式ダンパ装置の振り子質量体とフランジ部材との間の相対移動部位に潤滑油を供給するために、遠心振り子式ダンパ装置のフランジ部材の径方向内側に配設された遊星歯車セットに供給された潤滑油を、該遊星歯車セットの回転による遠心力により飛散させて、遠心振り子式ダンパ装置の上記相対移動部位に供給するようにしている。
【先行技術文献】
【特許文献】
【０００５】
【特許文献１】特開２０１５−３４６０２号公報
【特許文献２】特開２０１７−６７１７０号公報
【発明の概要】
【発明が解決しようとする課題】
【０００６】
ところで、遠心振り子式ダンパ装置において特に潤滑油の供給を必要とするのは、各振り子質量体をフランジ部材に揺動自在に支持するローラピン、及び、フランジ部材において該ローラピンが挿通されるガイド孔の内周面であり、ローラピン及びガイド孔に供給される潤滑油が不足すると、ローラピン及び／又はガイド孔の内周面が摩耗したり、ローラピンとガイド孔の内周面との間で焼き付きが生じたりする可能性が高くなる。
【０００７】
そこで、上記特許文献２のように、遠心振り子式ダンパ装置のフランジ部材の径方向内側から潤滑油を遠心力により遠心振り子式ダンパ装置に供給することが考えられる。
【０００８】
しかし、この供給方法では、潤滑油が各振り子質量体の全体に供給されるだけであり、各振り子質量体をフランジ部材に支持するローラピン及びガイド孔の内周面に十分な量の潤滑油を供給することは困難である。
【０００９】
本発明は、斯かる点に鑑みてなされたものであり、その目的とするところは、遠心振り子式ダンパ装置の各振り子質量体をフランジ部材に支持するローラピン、及び、フランジ部材において該ローラピンが挿通されるガイド孔の内周面に潤滑油を効率良く供給できるようにすることにある。
【課題を解決するための手段】
【００１０】
上記の目的を達成するために、本発明では、中心軸回りに回転可能な環状のフランジ部材と、該フランジ部材に、該フランジ部材の周方向に揺動自在にそれぞれ支持されかつ該周方向に並ぶように配設された複数の振り子質量体とを備えた遠心振り子式ダンパ装置を対象として、上記フランジ部材には、上記各振り子質量体毎に、２つのガイド孔が、該フランジ部材の中心軸方向に貫通しかつ上記周方向に延びるように形成され、上記各振り子質量体は、上記フランジ部材の上記２つのガイド孔にそれぞれ挿通された２つのローラピンを介して、該フランジ部材に対して該フランジ部材の周方向に揺動自在に支持されており、上記フランジ部材の中心軸方向両側の面のうち少なくとも一方の面に設けられたアダプタと、少なくとも１つの上記アダプタと上記フランジ部材との間に、該フランジ部材における全ガイド孔にそれぞれ対応して設けられた複数の潤滑油案内路とを更に備え、上記各潤滑油案内路は、上記フランジ部材の内周面における上記ガイド孔に対して上記フランジ部材の径方向内側の部分に設けられた流入部から該ガイド孔に向かって延びて、上記フランジ部材の内周面に該フランジ部材の径方向内側から供給された潤滑油を、上記流入部から該ガイド孔に向けて案内するように構成されている、という構成とした。
【００１１】
上記の構成により、環状のフランジ部材の内周面に供給された潤滑油は、該内周面を伝って流れて各潤滑油案内路の流入部に流入する。こうして各潤滑油案内路の流入部に流入した潤滑油は、該潤滑油案内路によって、ガイド孔の内周面、延いてはローラピンに供給される。この結果、ローラピン及びガイド孔の内周面に潤滑油を効率良く供給できるようになる。したがって、ローラピン及び／又はガイド孔の内周面が摩耗したり、ローラピンとガイド孔の内周面との間で焼き付きが生じたりするのを防止することができる。
【００１２】
上記遠心振り子式ダンパ装置において、２つの上記アダプタが、上記フランジ部材の中心軸方向両側の面にそれぞれ設けられ、上記２つのアダプタは、上記フランジ部材の内周面よりも該フランジ部材の径方向内側に突出して、該突出部分が、該フランジ部材の内周面と共に、該フランジ部材の内周面に供給された上記潤滑油を捕捉する断面凹状のオイル溝を画定する、ことが好ましい。
【００１３】
このことにより、フランジ部材の内周面に供給された潤滑油をオイル溝で捕捉して、該内周面から飛び出さないようにオイル溝に溜めておくことができ、この結果、多くの量の潤滑油が流入部に流入し易くなる。したがって、ローラピン及びガイド孔に潤滑油をより一層効率良く供給できるようになる。
【００１４】
上記遠心振り子式ダンパ装置において、上記各潤滑油案内路は、上記フランジ部材の径方向外側にいくほど該潤滑油案内路の幅が小さくなるように設けられている、ことが好ましい。
【００１５】
このことで、各潤滑油案内路の流入部の幅を大きくすることができ、フランジ部材の内周面に供給された潤滑油を流入部に流入し易くすることができる。また、各潤滑油案内路の流出部の幅を小さくして、流出部から流出する潤滑油をガイド孔に向けて勢いよく流出させることができる。
【発明の効果】
【００１６】
以上説明したように、本発明の遠心振り子式ダンパ装置によると、各潤滑油案内路によって、各ローラピン及び各ガイド孔の内周面に潤滑油を効率良く供給することができるようになり、この結果、ローラピン及び／又はガイド孔の内周面が摩耗したり、ローラピンとガイド孔の内周面との間で焼き付きが生じたりするのを防止することができる。
【図面の簡単な説明】
【００１７】
【図１】本発明の実施形態に係る遠心振り子式ダンパ装置を備えた自動変速機における、該遠心振り子式ダンパ装置の周辺を示す断面図である。
【図２】上記遠心振り子式ダンパ装置の後側部分を斜め下側から見た斜視図である。
【図３】上記遠心振り子式ダンパ装置の前側部分を示す正面図である。
【図４】図３から前側アダプタと１つの振り子質量体の前側の分割質量体とを取り除いた状態で示す図３相当図である。
【図５】或る１つの振り子質量体がフランジ部材に対して該フランジ部材の周方向の一側へ移動して、該振り子質量体の第１の当接部材が第１の一側移動規制部に当接した瞬間を示す図３相当図である。
【図６】図３のVI-VI線断面図である。
【図７】第１の当接部材（ゴム弾性体）がブッシュの回りに回動できるように構成した場合の図６相当図である。
【図８】後側アダプタを前側から見た図である。
【図９】図３のIX-IX線断面図である。
【発明を実施するための形態】
【００１８】
以下、本発明の実施形態を図面に基づいて詳細に説明する。
【００１９】
図１は、本発明の実施形態に係る遠心振り子式ダンパ装置１０を備えた自動変速機１を示す。本実施形態では、この自動変速機１は、ＦＲ式のハイブリッド車両（以下、単に車両という）の前部に、入力軸２が車両前後方向に延びるように搭載されている。図１中、Ｃは、入力軸２の中心軸線である。尚、上記車両はＦＦ式の車両であってもよい。
【００２０】
上記入力軸２は、自動変速機１の車両前側（図１の左側）に配設された、内燃機関等の駆動源（図示省略）と連結されていて、その駆動源からの動力が伝達される。入力軸２は、上記駆動源の出力軸と直接接続されていてもよいし、トルクコンバータや断接クラッチ等を介して間接的に接続されていてもよい。尚、以下の説明では、入力軸２の軸方向における上記駆動源側（図１の左側）を前側といい、該駆動源とは反対側（図１の右側）を後側という。
【００２１】
自動変速機１は、上記駆動源の始動等を行う駆動ユニット部１ａと、変速を行う変速部とを有しており（図１では駆動ユニット部１ａのみを示している）、上記駆動源で生成された動力は、駆動ユニット部１ａ及び上記変速部を介して上記車両の駆動輪（本実施形態では後輪）に伝達されるようになっている。
【００２２】
駆動ユニット部１ａと上記変速部とは入力軸２の軸方向に並んでおり、駆動ユニット部１ａが上記変速部よりも前側に位置している。入力軸２は、駆動ユニット部１ａに設けられる駆動ユニット側入力軸２ａと上記変速部に設けられる変速部側入力軸２ｂとに２分されており、駆動ユニット側入力軸２ａと変速部側入力軸２ｂとは、後述するクラッチ５によって断接可能となっている。
【００２３】
駆動ユニット部１ａには、上記駆動源の回転変動やトルク変動による振動を吸収する遠心振り子式ダンパ装置１０と、上記駆動源の始動等を行うためのモータ４と、駆動ユニット側入力軸２ａと変速側入力軸２ｂとを断接するクラッチ５とが設けられている。遠心振り子式ダンパ装置１０は、駆動ユニット部１ａにおける前側寄りの位置に位置しており、遠心振り子式ダンパ装置１０よりも前側には、駆動ユニット部１ａと自動変速機１の外部とを隔てる隔壁７が設けられている。モータ４は、遠心振り子式ダンパ装置１０と入力軸２の軸方向に並んで配設されている。クラッチ５は、入力軸２の軸方向においてモータ４と略同じ位置でかつモータ４よりも径方向内側の位置に配設されている。また、入力軸２の軸方向における、モータ４と遠心振り子式ダンパ装置１０との間には、モータ４の駆動時に、該モータ４から発生する磁力により遠心振り子式ダンパ装置１０が影響を受けないように、該磁力を規制するための磁力規制プレート８が設けられている。
【００２４】
モータ４は、上記駆動源の始動時にスタータモータとして機能したり、上記車両の減速時に減速回生を行う発電機として機能したりするモータである。モータ４は、入力軸２と同心上に配置された環状のステータ４ａと、該ステータ４ａの内側に、該ステータ４と同心上（つまり、入力軸２と同心上）に配置された円筒状のロータ４ｂとを有している。尚、モータ４を上記車両の駆動輪を駆動させる駆動源として用いることも可能である。
【００２５】
クラッチ５は、湿式多板式クラッチであって、締結油圧室５ｃへの油圧の供給及び排出によって、入力軸２の軸方向に進退移動する締結ピストン５ａと、該締結ピストン５ａの進退移動によって、係合又は係合解除される複数の摩擦板５ｂ（図１では、ハッチングを省略している）とを有している。該複数の摩擦板５ｂが締結ピストン５ａによって互いに係合したときに、クラッチ５が締結状態となり、これにより、入力軸２において、上記駆動ユニット部１ａに設けられた駆動ユニット側入力軸２ａと、上記変速部に設けられた変速部側入力軸２ｂとがクラッチ５を介して接続されることになる。
【００２６】
隔壁７の径方向内側端部には、後側に延設された後側延設部７ａが設けられている。この後側延設部７ａは、駆動ユニット側入力軸２ａの前端部に後側に凹むように形成された環状凹部２ｃ内に挿入されている。後側延設部７ａの先端面（後面）と環状凹部２ｃの底面との間には、駆動ユニット側入力軸２ａをその軸方向に支持するスラストベアリング９Ａが設けられ、後側延設部７ａの外周面と環状凹部２ｃの径方向外側の側周面との間には、駆動ユニット側入力軸２ａを回転可能に支持する回転ベアリング９Ｂが設けられている。これらスラストベアリング９Ａ及び回転ベアリング９Ｂには、駆動ユニット側入力軸２ａ内に設けられた油路２ｄ，２ｅを介して潤滑油が供給される。この潤滑油は、スラストベアリング９Ａ及び回転ベアリング９Ｂを潤滑した後、遠心力によって、遠心振り子式ダンパ装置１０における後述の環状のフランジ部材１１の内周面に供給される。
【００２７】
遠心振り子式ダンパ装置１０は、図２〜図５に示すように、中心軸回りに回転可能な金属製の環状のフランジ部材１１と、該フランジ部材１１に、該フランジ部材１１の周方向に揺動自在にそれぞれ支持されかつ該周方向に並ぶように配設された複数（本実施形態では、３つ）の振り子質量体２１とを備えている。各振り子質量体２１がフランジ部材１１に対して上記周方向に相対的に揺動することにより、上記駆動源の回転変動やトルク変動等によって発生する振動を吸収する。上記周方向に並ぶ振り子質量体２１の数は、２つ以上であればよいが、遠心振り子式ダンパ装置１０の大きさや振動吸収の効果を考慮すれば、３つ又は４つが好ましい。
【００２８】
各振り子質量体２１は、フランジ部材１１の中心軸方向（厚み方向）両側の面における外周部にそれぞれ配設された板状の２つの分割質量体２１ａに分割されている。これら２つの分割質量体２１ａは、フランジ部材１１の中心軸方向から見て、フランジ部材１１の周方向に延びる同じ形状をなしていて、フランジ部材１１を挟んでフランジ部材１１の中心軸方向に互いに対向している。各振り子質量体２１の２つの分割質量体２１ａは、上記周方向の両端部で、リベット４１により、後述の第１及び第２の当接部材４３，４４を介して互いに結合されている（図６参照）。各分割質量体２１ａは、そのフランジ部材１１径方向外側の端面が、フランジ部材１１の外周形状に略沿うようなアーチ状をないしている。各分割質量体２１ａは、例えば鉄や鉄を含む合金等の金属からなっていて、所定の質量を有するような大きさ及び形状に形成される。
【００２９】
フランジ部材１１の中心部には、フランジ部材１１の中心軸方向に貫通しかつ入力軸２が挿通される貫通孔１１ａが形成されている。また、フランジ部材１１の前側の面には、板状の前側アダプタ２２が設けられ、後側の面には、板状の後側アダプタ２３が設けられている。後側アダプタ２３は、該後側アダプタ２３の前側の面に、フランジ部材１１の貫通孔１１ａに嵌合するように前側に突出形成された位置決め部２３ｅによって、フランジ部材１１に対してその径方向に位置決めされる。前側アダプタ２２の中心部には、該前側アダプタ２２の厚み方向（フランジ部材１１の中心軸方向）に貫通する貫通孔２２ｂが形成されている。この貫通孔２２ｂの径は、フランジ部材１１の貫通孔１１ａの径よりも小さい。
【００３０】
前側及び後側アダプタ２２，２３は、その間にフランジ部材１１を挟んだ状態で、複数（本実施形態では、６つ）のリベット２５により互いに結合されている。これにより、前側及び後側アダプタ２２，２３は、フランジ部材１１の中心軸方向両側の面にそれぞれ取付固定されることになる。前側及び後側アダプタ２２，２３は、フランジ部材１１の中心軸方向から見て、各辺の中央部が外側に膨出する略三角形状をなしており、その三角形の頂部は、径方向外側に突出する突出部２２ａ，２３ａとされている。尚、リベット２５に代えて、ボルト及びナットで前側及び後側アダプタ２２，２３をフランジ部材１１に固定してもよい。
【００３１】
図１に示すように、フランジ部材１１は、後側アダプタ２３を介して、入力軸２（詳細には、駆動ユニット側入力軸２ａ）に回転一体に取り付けられている。すなわち、後側アダプタ２３の中心部には、後側に膨出する膨出部２３ｂが設けられ、この膨出部２３ｂが、フランジ部材１１の貫通孔１１ａを後側から覆っている。この膨出部２３ｂの中心部に、貫通孔２３ｃが形成され、この貫通孔２３ｃの後側開口の周縁部全周が更に後側に突出している。そして、貫通孔２３ｃの内周面に設けられたスプライン歯２３ｄ（図１にのみ示し、図２〜図５では、省略している）と、駆動ユニット側入力軸２ａの外周面に設けられたスプライン歯２ｆとが係合して、入力軸２（駆動ユニット側入力軸２ａ）が後側アダプタ２３（つまりフランジ部材１１）の貫通孔２３ｃにスプライン嵌合することになる。後側アダプタ２３は、駆動ユニット側入力軸２ａにおけるスプライン歯２ｆの前側部分に固定された規制部材１０と、駆動ユニット側入力軸２ａにおけるスプライン歯２ｆの後側部分に形成された段差部２ｇとに挟まれて、入力軸２の軸方向には移動できないようになっている。上記スプライン嵌合により、後側アダプタ２３、延いてはフランジ部材１１が、入力軸２の中心軸線Ｃ（フランジ部材１１の中心軸と一致）回りに、入力軸２と共に回転することになる。
【００３２】
フランジ部材１１の外周部における各振り子質量体２１の配設部分（後述の如く大径部１１ｅと呼ばれる）には、図４に示すように、フランジ部材１１の中心軸方向に貫通しかつフランジ部材１１の周方向に延びる長孔状の２つのガイド孔１１ｂ（フランジ部材１１全体で６つのガイド孔１１ｂ）がそれぞれ形成されている。各振り子質量体２１毎に形成された２つのガイド孔１１ｂは、フランジ部材１１の周方向に並んでいる。
【００３３】
各振り子質量体２１は、２つのガイド孔１１ｂにそれぞれ挿通された２つのローラピン３０を介して、フランジ部材１１の周方向に相対的に揺動可能にフランジ部材１１に支持されている。各ガイド孔１１ｂの内周面におけるフランジ部材１１径方向に対向する両側の部分は、上記周方向の中央が両端部よりもフランジ部材１１の径方向外側に位置するような円弧状をなしている。
【００３４】
各ローラピン３０は、大径部３１と、該大径部３１の軸方向の両側に設けられた２つの小径部３２とを有している。各ローラピン３０の大径部３１が、各ガイド孔１１ｂに、ガイド孔１１ｂの長手方向（フランジ部材１１の周方向）に移動可能に挿通されている。
【００３５】
各振り子質量体２１の各分割質量体２１ａには、分割質量体２１ａの厚み方向に貫通する２つの挿通孔２１ｂが形成されている。これら２つの挿通孔２１ｂは、各振り子質量体２１（各分割質量体２１ａ）がフランジ部材１１に対して揺動していない中立位置に位置しているときの該２つの挿通孔２１ｂが、２つのガイド孔１１ｂとフランジ部材１１の中心軸方向にそれぞれ対向する位置に位置するように形成されている。各ガイド孔１１ｂに挿通された大径部３１の軸方向の両側に設けられた２つの小径部３２が、当該ガイド孔１１ｂを挟んでフランジ部材１１の中心軸方向に対向する、２つの分割質量体２１ａの挿通孔２１ｂにそれぞれ挿通されている。
【００３６】
各挿通孔２１ｂも、ガイド孔１１ｂと同様に、フランジ部材１１の周方向に延びる長孔状に形成されているが、その長さは、ガイド孔１１ｂの長さよりも短い。各挿通孔２１ｂの内周面におけるフランジ部材１１径方向に対向する両側の部分は、上記周方向の中央が両端部よりもフランジ部材１１の径方向内側に位置するような円弧状をなしている。
【００３７】
各ローラピン３０の小径部３２は、各挿通孔２１ｂの長手方向に移動可能であり、各振り子質量体２１（２つの分割質量体２１ａ）がフランジ部材１１の周方向の一側又は他側に移動すると、小径部３２が挿通孔２１ｂの内周面における挿通孔２１ｂ長手方向（フランジ部材１１の周方向）の端部に当接し、これにより、ローラピン３０が押されて、該ローラピン３０の大径部３１がガイド孔１１ｂにガイドされながらフランジ部材１１の周方向の一側又は他側に移動することになる。こうして各振り子質量体２１は、フランジ部材１１に対してフランジ部材１１の周方向に相対的に揺動可能になる。
【００３８】
各振り子質量体２１におけるフランジ部材１１の周方向両側の端部には、第１の当接部材４３及び第２の当接部材４４がそれぞれ設けられている。第１の当接部材４３は、リング状のゴム弾性体４３ａで構成され、第２の当接部材４４も、ゴム弾性体４３ａと同じ形状でかつ同じ材料からなるリング状のゴム弾性体４４ａで構成されている。第１の当接部材４３（ゴム弾性体４３ａ）及び第２の当接部材４４（ゴム弾性体４４ａ）は、各振り子質量体２１の２つの分割質量体２１ａの間に位置している。本実施形態では、図６に示すように、第１の当接部材４３（ゴム弾性体４３ａ）は、２つの分割質量体２１ａ及びゴム弾性体４３ａの中心孔４３ｂを貫通するリベット４１によって、２つの分割質量体２１ａの間に固定されている。第２の当接部材４４（ゴム弾性体４４ａ）も同様である。
【００３９】
尚、図７に示すように、ゴム弾性体４３ａの中心孔４３ｂの内周面とリベット４１の外周面との間にブッシュ４５を設けて、第１の当接部材４３（ゴム弾性体４３ａ）がブッシュ４５の回りに回動できるように構成してもよい（第２の当接部材４４（ゴム弾性体４４ａ）も同様である）。また、リベット４１をボルト及びナットに変更することも可能である。
【００４０】
フランジ部材１１における、各振り子質量体２１の第１の当接部材４３及び第２の当接部材４４に対応する部分には、図４に示すように、径方向内側に凹んだ凹部１１ｃがそれぞれ設けられており、各振り子質量体２１の第１の当接部材４３及び第２の当接部材４４は、凹部１１ｃ内にそれぞれ位置している。本実施形態では、３つの振り子質量体２１が設けられているので、フランジ部材１１全体で、６つの凹部１１ｃが設けられている。
【００４１】
フランジ部材１１における突出部２２ａ，２３ａに対応する部分の外径は、各振り子質量体２１の配設部分の外径よりも小さくされている。以下、フランジ部材１１における突出部２２ａ，２３ａに対応する部分を小径部１１ｄといい、各振り子質量体２１の配設部分を大径部１１ｅという。フランジ部材１１の小径部１１ｄと大径部１１ｅとの間に、上記凹部１１ｃが位置することになる。
【００４２】
遠心振り子式ダンパ装置１０は、フランジ部材１１に対する各振り子質量体２１の揺動範囲を規制するストッパ５１を更に備えている。各振り子質量体２１の揺動範囲を規制する該ストッパ５１は、フランジ部材１１に対する各振り子質量体２１の上記周方向の一側（図３〜図５において、時計回りの進み側）への移動時において、該各振り子質量体２１における第１の当接部材４３及び第２の当接部材４４がそれぞれ当接（衝突）することにより該一側への移動を規制する第１の一側移動規制部５２及び第２の一側移動規制部５３と、フランジ部材１１に対する各振り子質量体２１の上記周方向の他側（図３〜図５において、時計回りの遅れ側）への移動時において、第２の当接部材４４及び第１の当接部材４３がそれぞれ当接（衝突）することにより該他側への移動を規制する第１の他側移動規制部５４及び第２の他側移動規制部５５と、を有している。
【００４３】
各振り子質量体２１の上記一側への移動を規制する第１の一側移動規制部５２は、該振り子質量体２１の第１の当接部材４３が当接可能なように、該振り子質量体２１と、該振り子質量体２１の上記周方向の上記一側に隣接する振り子質量体２１との間に設けられている。また、各振り子質量体２１の上記他側への移動を規制する第１の他側移動規制部５４は、該振り子質量体２１の第２の当接部材４４が当接可能なように、該振り子質量体２１と、該振り子質量体２１の上記周方向の上記他側に隣接する振り子質量体２１との間に設けられている。第１の一側移動規制部５２及び第１の他側移動規制部５４は、リング状のゴム弾性体５８で構成されている。本実施形態では、ゴム弾性体５８は、ゴム弾性体４３ａ，４４ａと同じ形状でかつ同じ材料からなる。また、本実施形態では、上記周方向に相隣接する２つの振り子質量体２１のうちの一方の振り子質量体２１の上記一側への移動を規制する第１の一側移動規制部５２を構成するゴム弾性体５８は、該２つの振り子質量体２１のうちの他方の振り子質量体の上記他側への移動を規制する第１の他側移動規制部５４を構成するゴム弾性体５８を兼用している。すなわち、各ゴム弾性体５８における上記周方向の上記他側の部分が、該ゴム弾性体５８の上記他側に位置する振り子質量体２１の上記一側への移動を規制する第１の一側移動規制部５２となり、該ゴム弾性体５８における上記周方向の上記一側の部分が、該ゴム弾性体５８の上記一側に位置する振り子質量体２１の上記他側への移動を規制する第１の他側移動規制部５４となる。
【００４４】
尚、上記周方向に相隣接する２つの振り子質量体２１の間に、第１の一側移動規制部５２と第１の他側移動規制部５４とをそれぞれ構成する２つのゴム弾性体５８を設けるようにしてもよい。
【００４５】
第１の一側移動規制部５２を構成するゴム弾性体５８（第１の他側移動規制部５４を構成するゴム弾性体５８でもある）は、リベット５９により、前側及び後側アダプタ２２，２３の突出部２２ａ，２３ａに挟持されている。このゴム弾性体５８のリベット５９による固定は、第１の当接部材４３及び第２の当接部材４４のリベット４１による固定と同様である。ゴム弾性体５８は、フランジ部材１１の小径部１１ｄの径方向外側に位置する。尚、第１の当接部材４３及び第２の当接部材４４と同様に、ゴム弾性体５８を固定しないで、回動できるように構成してもよい。また、リベット５９をボルト及びナットに変更することも可能である。さらに、前側アダプタ２２をなくして、ゴム弾性体５８を後側アダプタの突出部２３ａに固定するか、又は回動可能に支持するようにしてもよい。或いは、後側アダプタ２３をなくして、前側アダプタ２２を介してフランジ部材１１を入力軸２に取り付けるとともに、ゴム弾性体５８を前側アダプタ２２の突出部２３ａに固定するか、又は回動可能に支持するようにしてもよい。
【００４６】
各振り子質量体２１の上記一側への移動を規制する第２の一側移動規制部５３は、フランジ部材１１において、該振り子質量体２１の第２の当接部材４４が当接可能な位置に設けられている。また、各振り子質量体２１の上記他側への移動を規制する第２の他側移動規制部５５は、フランジ部材１１において、該振り子質量体２１の第１の当接部材４３が当接可能な位置に設けられている。本実施形態では、第２の一側移動規制部５３及び第２の他側移動規制部５５は、フランジ部材１１の端面で構成されている。より詳細には、第２の一側移動規制部５３は、フランジ部材１１において、第２の当接部材４４が位置する凹部１１ｃを規定する上記周方向両側の端面のうち上記一側の端面（大径部１１ｅ側の端面）で構成され、第２の他側移動規制部５５は、フランジ部材１１において、第１の当接部材４３が位置する凹部１１ｃを規定する上記周方向両側の端面のうち上記他側の端面（大径部１１ｅ側の端面）で構成されている。
【００４７】
本実施形態では、各振り子質量体２１の揺動範囲を規制するストッパ５１は、フランジ部材１１に対する各振り子質量体２１の上記一側への移動時においては、第２の当接部材４４が第２の一側移動規制部５３に当接するよりも先に、第１の当接部材４３が第１の一側移動規制部５２に当接し、フランジ部材１１に対する各振り子質量体２１の上記他側への移動時においては、第１の当接部材４３が第２の他側移動規制部５５に当接するよりも先に、第２の当接部材４４が第１の他側移動規制部５４に当接するように構成されている。
【００４８】
例えば図５に示すように（図５では、図４と同様に、前側アダプタ２２と、１つの振り子質量体２１の前側の分割質量体２１ａとを記載していない）、或る１つの振り子質量体２１（ここでは、前側の分割質量体２１ａを記載していない振り子質量体２１）がフランジ部材１１に対してフランジ部材１１の周方向の上記一側に移動したとする。このように上記振り子質量体２１が移動したときには、２つのローラピン３０の小径部３２が、２つの挿通孔２１ｂの内周面における上記周方向の上記他側の端部に、上記周方向の上記一側に向かって押されるため、２つのローラピン３０（大径部３１）は、ガイド孔１１ｂに沿って上記周方向の上記一側に向かって移動する。
【００４９】
上記振り子質量体２１の第１の当接部材４３が第１の一側移動規制部５２に当接した瞬間（図５では、該当接の瞬間を記載）においては、第２の当接部材４４が第２の一側移動規制部５３に当接していない。上記当接により、第１の当接部材４３及び第１の一側移動規制部５２をそれぞれ構成するゴム弾性体４３ａ，５８同士が衝突することになる。ゴム弾性体４３ａ，５８が圧縮変形した後、第２の当接部材４４が第２の一側移動規制部５３に当接する。すなわち、第２の当接部材４４を構成するゴム弾性体４４ａがフランジ部材１１に衝突する。
【００５０】
ゴム弾性体４３ａ，５８同士の衝突では、ゴム弾性体４４ａとフランジ部材１１との衝突に比べて、衝突荷重の立ち上がりが緩やかであるので、ゴム弾性体４３ａ，５８同士の衝突が、ゴム弾性体４４ａとフランジ部材１１との衝突よりも先に行われても、ゴム弾性体４３ａ，５８同士の衝突により生じる衝突荷重の最大値は低くなる。また、ゴム弾性体４３ａ，５８同士で衝突エネルギーが或る程度吸収されてから、ゴム弾性体４４ａとフランジ部材１１とが衝突することになるので、ゴム弾性体４４ａとフランジ部材１１との衝突により生じる衝突荷重の最大値も低くなる。この結果、衝突エネルギーを効率良く吸収することができて、振り子質量体２１（第１及び第２の当接部材４３，４４）と第１及び第２の一側移動規制部５２，５３との衝突音を効果的に低減することができる。このことは、振り子質量体２１がフランジ部材１１に対してフランジ部材１１の周方向の上記他側に移動して、振り子質量体２１の第２の当接部材４４及び第１の当接部材４３が第１及び第２の他側移動規制部５４，５５にそれぞれ当接（衝突）したときも同様である。
【００５１】
ここで、遠心振り子式ダンパ装置１０においては、各振り子質量体２１をフランジ部材１１に揺動自在に支持するローラピン３０（特に大径部３１）、及び、フランジ部材１１において該ローラピン３０（大径部３１）が挿通されるガイド孔１１ｂに、潤滑油を供給する必要があり、この潤滑油が不足すると、ローラピン３０（大径部３１）及び／又はガイド孔１１ｂの内周面が摩耗したり、ローラピン３０（大径部３１）とガイド孔１１ｂの内周面との間で焼き付きが生じたりする可能性が高くなる。
【００５２】
そこで、本実施形態では、上記のようにスラストベアリング９Ａ及び回転ベアリング９Ｂを潤滑した後の潤滑油であって遠心力によりフランジ部材１１の内周面（つまり貫通孔１１ａの内周面）に供給された潤滑油をローラピン３０（大径部３１）及びガイド孔１１ｂに供給するべく、図８及び図９に示すように、後側アダプタ２３とフランジ部材１１との間に、フランジ部材１１における全ガイド孔１１ｂ（全ローラピン３０）にそれぞれ対応して複数（本実施形態では、６つ）の潤滑油案内路６１が設けられている。各潤滑油案内路６１は、フランジ部材１１の内周面におけるガイド孔１１ｂに対してフランジ部材１１の径方向内側の部分に設けられた流入部６１ａから該ガイド孔１１ｂに向かって延びて、フランジ部材１１の内周面にフランジ部材１１の径方向内側から供給された潤滑油を、流入部６１ａから該ガイド孔１１ｂに向けて案内するように構成されている。
【００５３】
本実施形態では、各潤滑油案内路６１は、後側アダプタ２３の前側の面に形成された溝部２３ｆ（図８参照）とフランジ部材１１の後側の面とで構成されている。後側アダプタ２３の溝部２３ｆに代えて、又は溝部２３ｆに加えて、フランジ部材１１の後側の面に、溝部２３ｆと同様の溝部を形成してもよい。但し、ガイド孔１１ｂの内周面の硬度を高くするために、フランジ部材１１の全体が熱処理されるので、その熱処理後に溝部を形成することは困難であり、熱処理前に溝部を形成した場合には、熱処理の際にフランジ部材１１が変形する可能性がある。したがって、フランジ部材１１には溝部を形成しないことが好ましい。
【００５４】
各潤滑油案内路６１（各溝部２３ｆ）は、フランジ部材１１の径方向外側にいくほど該潤滑油案内路６１の幅（溝部２３ｆの幅）が小さくなるように設けられている。すなわち、各潤滑油案内路６１において、流入部６１ａの幅が最も大きくされ、後側アダプタ２３の外周縁に設けられた流出部６１ｂの幅が最も小さくされている。各潤滑油案内路６１の流出部６１ｂは、フランジ部材１１の各ガイド孔１１ｂの長手方向の中央に向けられている。尚、各潤滑油案内路６１の流出部６１ｂは、必ずしもガイド孔１１ｂの長手方向の中央に向けられている必要はなく、ガイド孔１１ｂにおいて長手方向の中央からフランジ部材１１の周方向の上記一側又は上記他側にずれた箇所に向けられていてもよい。このような構成であっても、ローラピン３０の移動によって、ガイド孔１１ｂの長手方向の全体に潤滑油が行き渡る。
【００５５】
本実施形態では、前側アダプタ２２とフランジ部材１１との間にも、潤滑油案内路６１と同様の複数（本実施形態では、６つ）の潤滑油案内路６２（図９参照）が設けられている。各潤滑油案内路６２は、前側アダプタ２２の後側の面に形成された溝部２２ｃとフランジ部材１１の後側の面とで構成されている。フランジ部材１１の中心軸方向から見て、各潤滑油案内路６２は、各潤滑油案内路６１とそれぞれ同じ位置に設けられている。また、各潤滑油案内路６２（溝部２２ｃ）も、フランジ部材１１の径方向外側にいくほど潤滑油案内路６２の幅（溝部２２ｃの幅）が小さくなるように設けられ、各潤滑油案内路６２において、流入部６２ａの幅が最も大きくされ、流出部６２ｂの幅が最も小さくされている。
【００５６】
また、本実施形態では、図９に示すように、前側アダプタ２２及び後側アダプタ２３が、フランジ部材１１の内周面（貫通孔１１ａの内周面）よりもフランジ部材１１の径方向内側に突出している。これらの突出部分（前側アダプタ２２については、貫通孔２２ｂの周縁部であり、後側アダプタ２３については位置決め部２３ｅである）が、フランジ部材１１の内周面と共に、フランジ部材１１の内周面に供給された上記潤滑油を捕捉する断面凹状のオイル溝６３を画定する。このオイル溝６３は、フランジ部材１１の内周面の全周に亘って設けられている。
【００５７】
上記の構成により、スラストベアリング９Ａ及び回転ベアリング９Ｂを潤滑した後の潤滑油が、遠心力によって、フランジ部材１１の内周面に供給される。この内周面に供給された潤滑油はオイル溝６３で捕捉されて該オイル溝６３に溜められる。このオイル溝６３のオイルが、各潤滑油案内路６１の流入部６１ａ及び各潤滑油案内路６２の流入部６２ａより各潤滑油案内路６１及び各潤滑油案内路６２に流入する。流入部６１ａ，６２ａの幅が大きくされているので、多くの量の潤滑油が流入部６１ａ，６２ａに流入し易くなる。
【００５８】
こうして流入部６１ａ，６２ａに流入した潤滑油は、潤滑油案内路６１，６２を流れて、流出部６１ｂ，６２ｂから流出する。流出部６１ｂ，６２ｂから流出した潤滑油は、フランジ部材１１の中心軸方向両側の面上をガイド孔１１ｂに向かって流れて、ガイド孔１１ｂの内周面、延いてはローラピン３０に潤滑油が供給される。流出部６１ｂ，６２ｂの幅が小さくされていることで、流出部６１ｂ，６２ｂから流出する潤滑油がガイド孔１１ｂに向けて勢いよく流出する。
【００５９】
したがって、ローラピン３０（特に大径部３１）及びガイド孔１１ｂの内周面に潤滑油を効率良く供給できるようになる。よって、ローラピン３０（大径部３１）及び／又はガイド孔１１ｂの内周面が摩耗したり、ローラピン３０（大径部３１）とガイド孔１１ｂの内周面との間で焼き付きが生じたりするのを防止することができる。
【００６０】
本発明は、上記実施形態に限られるものではなく、請求の範囲の主旨を逸脱しない範囲で代用が可能である。
【００６１】
例えば、上記実施形態では、後側アダプタ２３とフランジ部材１１との間に、潤滑油案内路６１が設けられているとともに、前側アダプタ２２とフランジ部材１１との間にも、潤滑油案内路６２が設けられているが、潤滑油案内路６１，６２のうち潤滑油案内路６１のみ又は潤滑油案内路６２のみが設けられる構成であってもよい。前側アダプタ２２及び後側アダプタ２３のうちの一方がない場合には、必然的に潤滑油案内路６１のみ又は潤滑油案内路６２のみが設けられる構成となる。
【００６２】
また、上記実施形態では、前側アダプタ２２及び後側アダプタ２３における、フランジ部材１１の内周面（貫通孔１１ａの内周面）よりもフランジ部材１１の径方向内側に突出する部分が、フランジ部材１１の内周面と共に、断面凹状のオイル溝６３を画定するが、このオイル溝６３はなくてもよい。このようにオイル溝６３がなくても、フランジ部材１１の内周面に供給された潤滑油は、該内周面を伝って流れて潤滑油案内路６１，６２の流入部６１ａ，６２ａに流入する。但し、出来る限り多くの量の潤滑油を流入部６１ａ，６２ａに流入させるためには、オイル溝６３を設けることが好ましく、特に、上記のように前側アダプタ２２及び後側アダプタ２３のうちの一方がない場合には、フランジ部材１１の内周面においてフランジ部材１１の中心軸方向のアダプタがない側の端部を径方向内側に突出させるようにして、該端部が、フランジ部材１１に設けられたアダプタ及びフランジ部材１１の内周面と共に、オイル溝６３を画定するようにしてもよい。
【００６３】
さらに、上記実施形態では、遠心振り子式ダンパ装置１０を、自動変速機１の入力軸２に設けたが、これに限るものではなく、種々の動力伝達装置の動力伝達軸に設けることができる。
【００６４】
上述の実施形態は単なる例示に過ぎず、本発明の範囲を限定的に解釈してはならない。本発明の範囲は請求の範囲によって定義され、請求の範囲の均等範囲に属する変形や変更は、全て本発明の範囲内のものである。
【産業上の利用可能性】
【００６５】
本発明は、中心軸回りに回転可能な環状のフランジ部材と、該フランジ部材に、該フランジ部材の周方向に揺動自在にそれぞれ支持されかつ該周方向に並ぶように配設された複数の振り子質量体とを備えた遠心振り子式ダンパ装置に有用である。
【符号の説明】
【００６６】
１０    遠心振り子式ダンパ装置
１１    フランジ部材
１１ａ  貫通孔
１１ｂ  ガイド孔
２１    振り子質量体
２２    前側アダプタ
２３    後側アダプタ
３０    ローラピン
６１    潤滑油案内路
６１ａ  流入部
６１ｂ  流出部
６２    潤滑油案内路
６２ａ  流入部
６２ｂ  流出部
６３    オイル溝
【図１】
2019035476.tif 000003
【図２】
2019035476.tif 000004
【図３】
2019035476.tif 000005
【図４】
2019035476.tif 000006
【図５】
2019035476.tif 000007
【図６】
2019035476.tif 000008
【図７】
2019035476.tif 000009
【図８】
2019035476.tif 000010
【図９】
2019035476.tif 000011